(57)【要約】【課題】シャッタ機構をカード搬送方向に小型化することで装置全体の小型化が図れるカード処理装置を提供する。【解決手段】本発明のカード処理装置は、カードが挿入される挿入口４と、挿入口４から挿入されたカードが搬送される搬送路３と、挿入口４を閉塞可能に駆動するシャッタ機構１０とを有している。シャッタ機構１０は、支軸１１によって揺動可能に支持され、一端側に挿入口４を閉塞可能にする閉塞部１２ｃが、他端側に搬送路３から突没可能な突没部１２ｄが形成された揺動部材１２を備えており、揺動部材１２は、カードの搬送方向に沿って湾曲可能に形成され、搬送路３を移動するカードの先端側が前没部１２ｄを押圧した際、揺動部材１２が湾曲した状態で閉塞部１２ｃがカードの後端側の表面に当接することを特徴とする。【選択図】    図８
2008191826.tif 000002
【特許請求の範囲】
【請求項１】
カードが挿入される挿入口と、
前記挿入口から挿入されたカードが搬送される搬送路と、
前記挿入口を閉塞可能に駆動するシャッタ機構と、
を有するカード処理装置であって、
前記シャッタ機構は、支軸によって揺動可能に支持され、一端側に前記挿入口を閉塞可能にする閉塞部が、他端側に前記搬送路から突没可能な突没部が形成された揺動部材を備えており、
前記揺動部材は、カードの搬送方向に沿って湾曲可能に形成され、前記搬送路を移動するカードの先端側が前記突没部を押圧した際、前記揺動部材が湾曲した状態で前記閉塞部がカードの後端側の表面に当接することを特徴とするカード処理装置。
【請求項２】
前記揺動部材は、カードの搬送方向長さよりも短く設定されていることを特徴とする請求項１に記載のカード処理装置。
【請求項３】
前記揺動部材には、前記閉塞部と突没部との間に切欠凹所が形成されていることを特徴とする請求項１又は２に記載のカード処理装置。
【請求項４】
前記搬送路上のカードを搬送する搬送機構を備えており、
前記搬送機構は、カードを挿入口側へ向けて搬送可能であり、
前記閉塞部には、挿入口側に向けて上昇する斜面が形成されていることを特徴とする請求項１から３のいずれか１項に記載のカード処理装置。
【請求項５】
前記搬送路は、前記揺動部材が挿入口を閉塞した際、前記閉塞部に対して内部側から当接する当接部を有することを特徴とする請求項１から４のいずれか１項に記載のカード処理装置。
【発明の詳細な説明】
【技術分野】
【０００１】
本発明は、カード状の情報記録媒体に対して、情報の書込み処理や情報の読取り処理を実行するカード処理装置に関し、詳細には、カード挿入口に設置されてカードの追加挿入を阻止するシャッタ機構に特徴を備えたカード処理装置に関する。
【背景技術】
【０００２】
通常、上記したカード処理装置は、カードが挿入されるカード挿入口（以下、挿入口と称する）と、挿入口に挿入されたカードを所定の処理位置まで搬送する搬送機構とを備えている。そして、このようなカード処理装置では、例えば、特許文献１に開示されているように、ユーザがカードを挿入口に挿入して処理を行っている際、誤って追加のカードが挿入されないように、シャッタ機構を設けている。
【０００３】
前記特許文献１に開示されているシャッタ機構は、カードの搬送面に対向して配置された支軸に揺動自在に取り付けられ、両端部にカード搬送面側に向けて折り曲げられた板状部材（揺動部材）を備えている。前記板状部材は、支軸を中心にシーソ状に揺動可能となっており、挿入口から挿入されたカードが内部に向けて搬送されると、カードの先端が一端側の折り曲げ部分に係合することで一端側が持ち上げられて支軸を中心に揺動するようになる。これにより、板状部材の他端側（挿入口側）の折り曲げ部分が下がり、挿入口は折り曲げ部分によって閉塞され、追加のカードの挿入が阻止される状態となる。
【特許文献１】特開２００４−１５２２４０号
【発明の開示】
【発明が解決しようとする課題】
【０００４】
上記した特許文献１に開示されているカード処理装置は、挿入されたカードが上記した板状部材によって破損されないように、板状部材は、カードの搬送方向長さよりも長く設定されている。すなわち、板状部材は、挿入口側の端部に形成されている折り曲げ部分が下がった際、カードに当たらないように設定されていることから、装置本体がカードの搬送方向に長くなってしまい、装置本体が大型化する要因となってしまう。
【０００５】
本発明は、上記した問題に着目してなされたものであり、シャッタ機構をカード搬送方向に小型化することで装置全体の小型化が図れるカード処理装置を提供することを目的とする。
【課題を解決するための手段】
【０００６】
上記した目的を達成するために、請求項１に記載されたカード処理装置は、カードが挿入される挿入口と、前記挿入口から挿入されたカードが搬送される搬送路と、前記挿入口を閉塞可能に駆動するシャッタ機構と、を有し、前記シャッタ機構は、支軸によって揺動可能に支持され、一端側に前記挿入口を閉塞可能にする閉塞部が、他端側に前記搬送路から突没可能な突没部が形成された揺動部材を備えており、前記揺動部材は、カードの搬送方向に沿って湾曲可能に形成され、前記搬送路を移動するカードの先端側が前記突没部を押圧した際、前記揺動部材が湾曲した状態で前記閉塞部がカードの後端側の表面に当接することを特徴とする。
【０００７】
上記した構成のカード処理装置によれば、挿入口にカードを挿入し、それが搬送されると、カード先端側が揺動部材の他端側（装置本体内部側）に形成された突没部に係合して揺動部材を揺動させる。この揺動部材の揺動により、揺動部材の一端側（挿入口側）に形成された閉塞部が挿入口を閉塞するため、カードの追加挿入が防止される状態となる。また、搬送されるカードの後端が挿入口を通過する前に、前記揺動部材に形成された閉塞部が挿入口を閉塞する方向に移動して搬送されるカードの表面に当接しても、揺動部材が湾曲することから、閉塞部が当接する際の当接力が緩和され、カード表面に傷を付けることが無くなる。このため、揺動部材の両端部の長さをカードの搬送方向長さに基づいて調整する必要が無くなり、装置本体を小型化することが可能になる。
【０００８】
また、請求項２に係る発明においては、前記揺動部材は、カードの搬送方向長さよりも短く設定されていることを特徴とする。
【０００９】
上記した構成のカード処理装置によれば、前記揺動部材は、カードの搬送方向長さよりも短く形成されているため、更に装置本体を小型化することが可能になる。
【００１０】
また、請求項３に係る発明においては、前記揺動部材には、前記閉塞部と突没部との間に切欠凹所が形成されていることを特徴とする。
【００１１】
上記した構成のカード処理装置によれば、切欠凹部を形成したことにより、揺動部材をより湾曲させ易くすることが可能になる。すなわち、閉塞部のカードに対する当接力を、より確実に緩和することができ、カードの表面の傷付きを確実に防止することが可能になる。
【００１２】
また、請求項４に係る発明においては、前記搬送路上のカードを搬送する搬送機構を備えており、前記搬送機構は、カードを挿入口側へ向けて搬送可能であり、前記閉塞部には、挿入口側に向けて上昇する斜面が形成されていることを特徴とする。
【００１３】
上記した構成のカード処理装置によれば、閉塞部が挿入口を閉塞している状態においても、カードを挿入口側に向けて差し戻すことが可能になる。すなわち、挿入口から内部に搬入されたカードを差し戻したり、装置本体内部に収容されているカードを発行する際、挿入口が閉塞部によって閉塞されていても、差し戻されるカードは斜面に沿って搬送可能となっている。
【００１４】
また、請求項５に係る発明においては、前記搬送路は、前記揺動部材が挿入口を閉塞した際、前記閉塞部に対して内部側から当接する当接部を有することを特徴とする。
【００１５】
上記した構成のカード処理装置によれば、カードが装置本体の内部に挿入されて、揺動部材の閉塞部が挿入口を閉塞すると、閉塞部は内部側から当接する当接部によって補強された状態になっていることから、追加のカードの挿入に対する閉塞部の閉塞動作の強度を高めることが可能になる。
【発明の効果】
【００１６】
本発明によれば、カードの搬送方向に対して、装置本体の小型化が図れるカード処理装置が得られる。
【発明を実施するための最良の形態】
【００１７】
以下、図面を参照しながら、本発明に係るカード処理装置の一実施形態について説明する。なお、本実施形態におけるカード処理装置は、主に、パチンコホール等の遊技場における遊技媒体貸出機に設置されるものとして適した構成となっている。すなわち、本実施形態のカード処理装置は、金額情報が記載されたカード（プリペイドカード）を挿入することで、金額情報の読取り、書換えが行われると共に、金額情報が書き換えられたカードの返却、或いは金額が０になった際の回収、及び、金額を投入することで、予めストックされているカードに金額情報を書き込んで、その発行（プリペイドカードの発行）が可能な構成となっている。
【００１８】
図１から図６は、カード処理装置の構成を示す図であり、図１は、全体構成を示す平面図、図２は、図１に示す状態からストック部を開放した状態を示す図、図３は、図２に示す状態から基板装着フレームを取り外した状態を示す図であり、カード搬送路の構成を示す図、図４は、図３に示すカード挿入口部分の拡大図、そして、図５は、カード処理装置を裏側から見た図である。
【００１９】
本実施形態のカード処理装置１は、例えば、パチンコ機やスロットマシン等の各種の遊技機間に設置される遊技媒体貸出装置（図示せず）に組み込み可能に構成されている。この場合、遊技媒体貸出装置には、カード処理装置１の上側又は下側に他の装置（例えば、紙幣処理装置や電源装置など）を設置しておいても良く、カード処理装置１は、これら他の装置と一体化されていたり、別個に構成されていても良い。そして、このようなカード処理装置１は、上記したようなプリペイドカードの読取り処理、返却処理／回収処理が実行されると共に、図示されていない紙幣処理装置に紙幣が投入されることで、プリペイドカードの発行処理が可能となっている。
【００２０】
カード処理装置１は、略直方体状に形成されたフレーム２を備えており、このフレーム２が図示されていない遊技媒体貸出装置の係止部に装着される。フレーム２は、装置本体を構成する本体フレーム２Ａと、本体フレーム２Ａのカード搬送下流側に設置され、複数枚のカードを積層して収納するストック部２Ｂと、カード搬送上流側に設置され、装置全体を制御する制御基板２００を装着した基板装着フレーム２Ｃを有している。なお、図１は、制御基板２００を露出させた状態を示しているが、実際には、図示されていないカバーにより、制御基板２００はカバーされた状態となる。
【００２１】
前記ストック部２Ｂは、図１及び図２に示すように、本体フレーム２Ａに対して、基部を回動中心として開閉されるように構成されており、基板装着フレーム２Ｃは、前記制御基板２００を装着する以外に、後述する搬送機構を構成するローラ２２，２３及び搬送ベルト２５に当接する複数のピンチローラ１０１，１０２等を回転可能に保持している。なお、ピンチローラ１０１の支軸とピンチローラ１０２の支軸との間には、ねじりバネ１１０が設置されており、ピンチローラ１０１及び１０２を、ローラ２２，２３及び搬送ベルト２５側に向けて付勢している。
【００２２】
前記本体フレーム２Ａは、略直方体形状を有しており、その中央には、長手方向に延出してカードが搬送される搬送路３が形成されている。この搬送路３には、図４に示すように、カードＰＣが搬送されるようになっており、前記ストック部２Ｂが本体フレーム２Ａに対して閉じられ、かつ基板装着フレーム２Ｃが本体フレーム２Ａに止着されることで、カードが搬送される隙間を形成して搬送路３が形成される。従って、この搬送路３は、通常は外部に露出しないようになっている。
【００２３】
そして、本体フレーム２Ａと基板装着フレーム２Ｃには、前記搬送路３に一致するようにして、夫々カード搬入部３Ａ，３Ｂが形成されている。これらカード搬入部３Ａ，３Ｂは、本体フレーム２Ａに対して、ストック部２Ｂが閉じられ、かつ基板装着フレーム２Ｃが装着された際、スリット状のカード挿入口４を形成する。図１に示すように、カードＰＣは、スリット状の挿入口４に対して矢印Ａ方向に沿って内部に挿入される。なお、カード搬入部３Ａ，３Ｂには、挿入口４から挿入されるカードの両サイドを規制する規制壁３Ｄが形成されており、カードは規制壁３Ｄによって位置決めされた状態で搬送路３に案内される。
【００２４】
前記ストック部２Ｂは、カード挿入口４から搬送路３に搬入されたカードをストックする機能を備えており、搬送路３を移動するカードは、ストック部の下側から順に上積みされるように収納される。なお、ストック部２Ｂの具体的な構成、及び動作については後述する。
【００２５】
ストック部２Ｂの先端側には、本体フレーム２Ａに係止可能なロックシャフト６が配設されている。このロックシャフト６は、付勢バネ等によって後方側に向けて付勢されており、カード挿入口４側（矢印Ｂ方向）に向けて引くことで、ストック部２Ｂと本体フレーム２Ａのロック状態（両者が閉じた状態）が解除され、ストック部２Ｂは開いた状態となる（図２参照）。
【００２６】
前記本体フレーム２Ａには、カードの追加投入を阻止するシャッタ機構、カードを搬送する搬送機構、搬送路３を移動するカードを前記ストック部２Ｂに収納させる収納駆動機構、カードを挿入口４から排出する際、カードを保持して落下を防止する落下防止機構等が設置されている。
【００２７】
以下、本体フレーム２Ａに設置される各種駆動機構の構成、及び動作について詳細に説明する。
［シャッタ機構について］  
本体フレーム２Ａには、カードの処理中に、ユーザが誤ってカードの追加投入を防止するシャッタ機構１０が設置されている。このシャッタ機構１０の構成について、上記した図１から図５、及び図６から図１１を参照して説明する。なお、図６は、図５の主要部の拡大図、図７は、シャッタ機構を構成する揺動部材（第１揺動部材）の構成を示す斜視図、図８から図１１は、カードが挿入口から移動する際の揺動部材の動作を順に示す図である。
【００２８】
シャッタ機構１０は、本体フレーム２Ａに対して、支軸１１を介して揺動可能に支持される揺動部材１２を有している。本実施形態の揺動部材１２は、搬送路３の一方のサイド壁側に揺動可能に支持されており、カード搬送方向に延出して、弾性変形可能となるように合成樹脂材で一体形成されている。なお、前記支軸１１は、中央よりやや後方側において揺動部材１２と共に一体形成されている。
【００２９】
揺動部材１２は、本体フレーム２Ａの搬送路３の裏面側に突出された受部２ａに対し、前記支軸１１が設置され、その上から略Ｍ字形状のカバー１３が設置されることで、本体フレーム２Ａに対して揺動可能に支持される。すなわち、揺動部材１２は、簡単な操作によって、本体フレーム２Ａに対して着脱可能になっていると共に、上記した略Ｍ字形状のカバー１３により、揺動部材に対する負荷を軽減することが可能になる。
【００３０】
また、揺動部材１２には、一端側に前記挿入口４を閉塞可能にする閉塞部１２ｃが、他端側に前記搬送路３から突没可能な突没部１２ｄが一体的に形成されている。前記閉塞部１２ｃは、図３に示すように、本体フレーム２Ａの挿入口４の近傍（カード搬入部３Ａの領域）に形成された開口２ｂから突没可能となっており、前記突没部１２ｄは、前記ストック部２Ｂの前端側に形成された開口２ｃから突没可能となっている。
【００３１】
前記揺動部材１２は、閉塞部１２ｃが常時挿入口４を開口するように（閉塞部１２ｃが開口２ｂ内に没している状態）支持されており、この状態で、他端側の突没部１２ｄは搬送路３の表面から突出している。このような状態が得られるように、揺動部材１２は、支軸１１よりも前方側で、本体フレーム２Ａの裏面との間に押圧バネ１４を介在させており、閉塞部１２ｃを、常時開口２ｂ内に没する方向に付勢している。この押圧バネ１４は、揺動部材１２に穴を形成し、その穴内に保持された状態となる。
【００３２】
また、揺動部材１２の挿入口側は、カードの搬送方向に沿って湾曲可能となっており、搬送路３を移動するカードの先端側が突没部１２ｄを押圧した際、揺動部材１２が湾曲した状態で閉塞部１２ｃがカードの後端側の表面に当接するようになっている。すなわち、揺動部材１２が湾曲することにより、閉塞部１２ｃが移動するカードに当接しても、カードに大きな負荷を加えることがなくなって、カードを傷付けたり、カード搬送時に抵抗となることが防止される。
【００３３】
この場合、閉塞部１２ｃが移動するカードに当接した際、揺動部材１２がより湾曲し易いように、揺動部材１２には切欠凹所１２ｅが形成されている。この切欠凹所１２ｅは、支持部１１よりも前側で本体フレーム２Ａ側の表面に、軸方向に対して直交する方向で所定の深さで形成されており、閉塞部１２ｃ側が下方へ湾曲し易いようにしている。すなわち、切欠凹所１２ｅを支点として閉塞部１２ｃを含む前方側は、閉塞部１２ｃの頂部がカードの表面に当接した際、開口２ｂに没する方向に容易に湾曲できるようになっている。なお、揺動部材１２を湾曲させるための手段として、上記した切欠凹所１２ｅを形成する以外にも、例えば、揺動部材１２の前方側を、たわみ易い素材で形成する等しても良い。
【００３４】
これにより、揺動部材１２は、両端に形成されている閉塞部１２ｃ及び突没部１２ｄを同時にカード表面に当接させることが可能となり、図８から図１１に示すように、カードの搬送方向長さよりも短く形成することが可能となる。
【００３５】
また、前記閉塞部１２ｃは、図７に示すように、側面視で略直角三角形状に形成されており、搬送路３に対して略直角に立ち上がるカード挿入阻止面１２ｃ´と、挿入口４側に向けて上昇する傾斜面１２ｃ´´とを有している。すなわち、このような形状により、挿入口４の閉塞時には、確実にカードの追加投入を阻止し、かつカードを内部側から排出する際には、スムーズなカードの移動を実現し、閉塞部１２ｃによって妨げられないようになっている。
【００３６】
なお、カード挿入阻止面１２ｃ´は、図７の拡大図に示すように、カードＰＣが当て付いた際、揺動部材１２が上方に移動できるよう、所定角度（θ＝５°程度）傾斜させておくことが好ましい。このような傾斜を形成しておくことで、カードＰＣが当て付いた際、揺動部材１２が閉塞方向となる上方（矢印方向）にシフトするため、カードの追加投入を確実に防止することが可能となる。
【００３７】
また、前記突没部１２ｄには、図７に示すように、側面視で略三角形状に形成された傾斜面１２ｄ´が形成されている。すなわち、このような形状により、いずれの方向にカードが移動しても、スムーズな移動を実現し、突没部１２ｄにカードが引っ掛からないようになっている。
【００３８】
さらに、本実施形態では、図８から図１１に示すように、本体フレーム２Ａの搬送路３の裏面側に、前記閉塞部１２ｃの基部１２ｆが当て付く当接部２ｆが形成されている。この当接部２ｆは、閉塞部１２ｃが搬送路３に突出した際、閉塞部１２ｃに対して内部側から当接可能となるように設けられており、これにより、閉塞時における閉塞部１２ｃの強度を向上させている。
【００３９】
次に、上記したシャッタ機構１０を構成する揺動部材１２の動作について、図８から図１１を参照して説明する。
【００４０】
最初、初期状態では、上述したシャッタ機構１０の揺動部材１２は、支軸１１を中心として、閉塞部１２ｃが搬送路３から没した状態となっている。この状態は、支軸１１の支持位置、及び押圧バネ１４の付勢力によって維持されている。この状態で、挿入口４からカードＰＣを挿入すると、図４に示した搬送路３に設置されるカード検知センサ（第１センサ）１５Ａがこれを検知し、後述する搬送機構を構成する駆動モータが回転駆動され、カードＰＣは搬送ベルト２５によって内部に搬送される。
【００４１】
そして、前記第１センサ１５Ａによって、搬入されるカードＰＣの後端の通過が検知された段階で、搬送機構は駆動停止され、カードＰＣは一旦停止される。図４は、カードＰＣが停止された状態を示しており、この位置（情報処理位置）において、図示されていないリーダライタが駆動され、カードＰＣに対して情報の読取り処理／書換え処理が実行される。
【００４２】
図９に示すように、カードＰＣが第１センサ１５Ａを通過し、搬送機構によって前記情報処理位置に搬送される際、カードＰＣの先端は、搬送路３の開口２ｃから突出している揺動部材１２の突没部１２ｄに係合する。上記したように突没部１２ｄには、図７に示したように傾斜面１２ｄ´が形成されているため、カードＰＣは、突没部１２ｄを下方にシフトさせながら更に内部に搬送される。
【００４３】
この際、揺動部材１２は、突没部１２ｄの押下げによって、図９に示すように、閉塞部１２ｃが上昇し、搬送中のカードＰＣに当接するが、上記したように揺動部材１２は、カードＰＣの搬送方向に沿って湾曲可能となっており、揺動部材１２が湾曲した状態で閉塞部１２ｃがカードの後端側の表面に当接する。上記したように、揺動部材１２は、切欠凹所１２ｅによって閉塞部１２ｃ側が下方へ湾曲し易いようになっており、かつ押圧バネ１４の付勢力によって下側に付勢されているため、閉塞部１２ｃが、移動するカードＰＣに当接しても、カードに大きな負荷を加えることはなく、カードＰＣを傷付けたり、カード搬送時に大きな抵抗となることはない。
【００４４】
そして、カードＰＣが更に内部に搬入され、上記したようにカードの後端が第１センサ１５Ａを通過して情報処理位置に搬送されると、湾曲した状態にあった閉塞部１２ｃは、図１０に示すように、揺動部材１２の突没部１２ｄの押し下げによって上昇し、挿入口４を閉塞する。すなわち、カードＰＣが情報処理位置まで搬入されると、上記したシャッタ機構を構成する揺動部材１２によって、追加のカードを投入することが阻止された状態となる。
【００４５】
図１０に示すシャッタ閉塞状態において、上述したように、閉塞部１２ｃの基部１２ｆは、本体フレーム２の搬送路３の裏面側に設けられた当接部２ｆに当接しているため、シャッタ閉塞時における閉塞部１２ｃの強度が向上している。すなわち、矢印Ａ方向から追加のカードを投入しようとしても、閉塞部１２ｃは当接部２ｆに当接して補強された状態にあるため、閉塞強度が向上し、追加のカードの投入を確実に阻止することができる。
【００４６】
そして、カードＰＣが、後述するストック部２Ｂに回収される場合、更に奥側に向けて搬送され、図１１に示すストック位置に搬送される。このとき、カードＰＣの後端は、突没部１２ｄから外れ、これにより、突没部１２ｄは上昇し、反対側の閉塞部１２ｃは搬送路３から没した状態となって、挿入口４を常時、開口する状態となる。もちろん、カードＰＣが、搬送機構によってユーザにそのまま返却された後においても、シャッタ機構１０の揺動部材１２は、図１１に示した状態となり、新たなカードが挿入できるように、挿入口４は開口した状態に維持される。
【００４７】
なお、本体フレーム２Ａの搬送路３には、前記第１センサ１５Ａの下流側に第２センサ１５Ｂが設置されており、カードの状況（搬送状態や方向）を検知するようにしている。また、本体フレーム２Ａの裏面には、前記揺動部材１２の動作を検出する第３センサ１５Ｃが設置されており、リードライト動作の終了、及び後述するストック部２Ｂに対するカードＰＣの移送完了を検知するようにしている。この場合、第１センサ１５Ａ及び第２センサ１５Ｂは、公知のように、カードの通過を検知する発光部と受光部を備えた構成となっており、第３センサ１５Ｃは、前記揺動部材１２の突没部１２ｄの近傍に設置され、突没部１２ｄが上下動した際の動作を検知する発光部と受光部を備えた構成となっている。
【００４８】
上記したシャッタ機構１０によれば、挿入口４にカードＰＣを挿入し、それが搬送機構によって搬送されると、カード先端側が突没部１２ｄに係合して揺動部材１２を揺動させる。この揺動部材１２の揺動により、挿入口側に形成されている閉塞部１２ｃが挿入口４を閉塞するため、カードＰＣの処理動作中に、新たなカードの追加挿入が防止される状態となる。また、搬送されるカードの後端が挿入口４を通過する前に、前記閉塞部１２ｃが挿入口４を閉塞する方向に移動して、搬送されるカードＰＣの表面に当接しても、上記したように、揺動部材１２が湾曲できるように構成されていることから、閉塞部１２ｃが当接する際の当接力が緩和され、カード表面に傷を付けることが無くなる。特に、揺動部材１２に、切欠凹部１２ｅを形成したことにより、揺動部材をより湾曲させ易くすることが可能となり、閉塞部１２ｃのカードに対する当接力を、より確実に緩和することができ、カードの表面の傷付きを確実に防止することが可能になる。
【００４９】
これにより、揺動部材１２の搬送方向の長さを、カードの搬送方向長さに基づいて調整する必要が無くなって、装置本体を小型化することが可能になる。具体的には、揺動部材１２を、カードの搬送方向長さよりも短く設定することが可能となり、その分、装置本体を小型化することが可能になる。
【００５０】
なお、図４に示すように、搬送路３の表面には、閉塞部１２ｃのサイドで前方側に、壁状のリブ８０が突出形成されている。このようなリブを形成しておくことで、搬送路３の隙間に対してカードの厚さが薄くても、カードの重複投入を確実に防止することが可能となる。
［搬送機構について］  
本体フレーム２Ａには、挿入口４に挿入されたカードを装置内部に向けて搬送する搬送機構２０が設置されている。この搬送機構の構成について、上記した図１から図５、及び図１２から図１５を参照して説明する。なお、図１２は、ローラの構成を示す図、図１３は、搬送機構を構成するローラを回転可能に保持する固定部材の拡大斜視図、図１４は、一対の固定部材にローラを保持した状態を示す図、そして、図１５（ａ）（ｂ）は、それぞれ中心軸保持部の位置を変形した固定部材を示す図である。
【００５１】
本実施形態の搬送機構２０は、挿入口４から挿入されたカードを挿入方向Ａに沿って搬送可能であると共に、装置本体の内部に位置するカードを挿入口４側に向けて搬送可能に構成されている。搬送機構２０は、本体フレーム２Ａに設置された駆動源である駆動モータ２１(図５参照)と、この駆動モータ２１によって回転駆動され、搬送路３の表面に露出して搬送方向に沿って延出する搬送ベルト２５を備えている。
【００５２】
前記搬送ベルト２５は、前記駆動モータ２１によって回転駆動される駆動軸２２ａに設置される回転ローラ２２と、搬送路３に沿って所定間隔をおいて設置されるローラ２３に巻回されており、その表面が搬送路３上に露出し、カードを載置した状態で搬送する機能を有する。なお、前記ローラ２３は、図３に示すように、本体フレーム２の搬送路３の略中央領域において、搬送方向に沿って所定間隔おいて４箇所設置されている。
【００５３】
前記回転ローラ２２は、図５に示すように、カード搬送方向に対して直交する方向で本体フレーム２Ａに回転可能に支持される駆動軸２２ａの中央部に設けられており、駆動軸２２ａは、その端部に固定されたギヤ２２ｂが、駆動モータ２１の出力軸に固定された出力ギヤ２１ａと噛合することで回転駆動される。
【００５４】
また、前記ローラ２３は、固定部材２４に回転可能に保持された状態で、搬送路３の所定の位置に設置される。以下、図１２から図１４を参照して、ローラ２３及び固定部材２４の構成について説明する。
【００５５】
前記ローラ２３は、ＰＯＭ等の合成樹脂によって一体成形されており、図１２（ａ）に示すように、搬送ベルト２５が巻回される円柱部２３ａと、円柱部２３ａの両サイドの中心部に突出する中心軸２３ｂを備えており、カードの幅方向よりも短く形成されている。なお、ローラ２３については、図１２（ｂ）に示すように、円柱部２３Ａと中心軸２３Ｂによる２ピース構造としても良い。すなわち、両者をＰＯＭ等の合成樹脂により一体形成し、円柱部２３Ａに形成した中心孔２３Ｃに対して中心軸２３Ｂを嵌合してローラ２３を構成することで、ローラ２３の回転をスムーズにすることが可能になる。
【００５６】
また、固定部材２４は、ローラ２３と同様、ＰＯＭ等の合成樹脂等によって一体形成されており、図１３及び図１４に示すように、前記したローラ２３の中心軸２３ｂを回転可能に保持し、かつ、ローラ２３を保持した状態で本体フレーム２Ａにワンタッチで設置できるように構成されている。具体的に、固定部材２４は、予め搬送路３の表面部に形成される凹所３ａに嵌入して固定されるようになっており、略直方体形状に形成され、前記ローラ２３の中心軸２３ｂを回転可能に保持する中心軸保持部２４ａが形成された本体２４Ａと、この本体２４Ａに対して弾性変形可能に一体化される略Ｕ字形状の変形部２４Ｂとを備えている。
【００５７】
前記変形部２４Ｂは、図１３において、矢印方向Ｄ１に弾性変形可能となっており、その外側壁の表面には、抜け止め用フランジ２４ｂが一体形成されている。また、前記本体２４Ａに形成された中心軸保持部（保持穴）２４ａは、前記変形部２４Ｂの内側壁によって閉塞された状態となっている。
【００５８】
そして、図１４に示すように、上記した構成の固定部材２４を一対準備し、各固定部材２４の本体部２４Ａに形成された中心軸保持部（保持穴）２４ａに、ローラ２３の両側の中心軸２３ｂを挿入し、この組み付け状態で、各固定部材２４を搬送路３の凹所３ａに嵌入（圧入）する。上記したように、搬送路３には、予め所定の位置に、固定部材２４が圧入できる凹所３ａ、並びに保持したローラ２３が位置する凹所が形成されており、本体部に形成された変形部２４Ｂを、ローラ中心側（図１４矢印Ｄ１方向）に撓みながら固定部材２４を嵌入する。この嵌入操作において、最終的に抜け止め用フランジ２４ｂが凹所３ａのエッジを乗り越えて変形部２４Ｂが初期位置に戻ることで、固定部材２４は、抜け止め用フランジ２４ｂによって凹所３ａに抜け止め保持された状態となる。
【００５９】
上記した構成によれば、搬送機構を構成するローラ２３は、固定部材２４に保持した状態で、それを本体フレーム２Ａのカード搬送路に形成される凹所（設置部）３ａにワンタッチ（単なる圧入操作）で装着することが可能となり、ローラ２３の本体フレーム２Ａに対する組み付けが容易になり、製造コストを低減することが可能になる。
【００６０】
特に、本実施形態の構成では、固定部材２４は、弾性変形可能な変形部２４Ｂを備えており、固定部材２４は、その変形部２４Ｂがローラの中心軸方向に沿った方向（図１３、図１４矢印Ｄ１方向）に力が加わるように固定されるようになっている。この力が加わる方向Ｄ１は、ローラ２３が回転する方向（カードが搬送される方向Ａ）と直交する方向となっているため、ローラ２３の回転に伴って固定部材２４が変動し難くなり、固定部材２４の固定状態が強固となる。すなわち、カード搬送方向（Ａ方向）にローラ２３がぶれることが抑制され、安定したカード搬送が実現できる。
【００６１】
また、上記した構成では、ローラ２３を一対の固定部材２４間に保持し、夫々の固定部材２４を取り外すための各変形部２４Ｂの弾性変形する方向Ｄ１を、図１４に示すようにローラ中心方向としている。このため、一対の固定部材２４の変形部２４Ｂを、互いに摘むようにして弾性変形させることで、各一対の固定部材２４を本体フレーム２Ａから取り外すことが可能となり、メンテナンス性の向上が図れる。
【００６２】
また、上記した構成では、固定部材２４は、ローラ２３の中心軸２３ｂを回転可能に設置する中心軸保持部２４ａを有しているため、この位置を変更するだけで、ローラの高さ方向の位置調整が行えるようになる。すなわち、図１５（ａ）（ｂ）に示すように、中心軸保持部２４ａの位置を変更した固定部材２４を複数種類準備し、これを本体フレーム２Ａに設置するだけの簡単な作業でローラ２３の位置を調整することが可能になる。これにより、ローラ２３の位置調整が容易になり、メンテナンス性の向上が図れる。
【００６３】
上記した構成のローラ２３及び固定部材２４は、ローラ２３（円柱部２３ａ）の直径Ｄを、固定部材２４の大きさ、具体的には、圧入方向となる高さＨよりも大きく形成しておくことが好ましい。
【００６４】
両者をこのような大きさ関係に設定しておくことで、固定部材２４にローラ２３を組み付けた際、高さ方向において、ローラ２３（円柱部２３ａ）が大きくなるため、これを搬送路３に設置した際、ローラ２３が搬送表面から突出し、これに巻回される搬送ベルト２５の表面位置についても、固定部材２４の位置よりも高くすることができる。従って、搬送路３に搬送されるカードが、固定部材２４に接触することが防止でき、カードの詰まり等を確実に防止することが可能になる。
【００６５】
そして、図２に示したように、回転ローラ２２の位置、及び挿入口側に設置されるローラ２３の位置には、基板装着フレーム２Ｃに設置されるピンチローラ１０１，１０２が対向して配置されており、挿入口４に挿入されたカードは、ピンチローラ１０１，１０２と搬送ベルト２５との間のニップ部を介して搬送されて行く。また、下流側の３つのローラ２３の位置には、図２に示すように、ストック部２Ｂが閉じられた際、カードＰＣを載置する押圧プレート（押圧プレートに載置されたカード）が対向するようになっている。
［ストック部及び収納駆動機構等について］  
本体フレーム２Ａには、使用済みのカードを回収し、かつ、必要に応じて発行するカードを収納するストック部２Ｂ、及びストック部２Ｂにカードを収納するように作動する収納駆動機構４０が設置されている。これらのストック部２Ｂ、及び収納駆動機構４０の構成について、上記した図１から図６、及び図１６から図２５を参照して説明する。なお、図１６は、ストック部を挿入口側から見た図、図１７は、ストック部にカードを収納した状態を示す図、図１８（ａ）は、収納駆動機構を構成する揺動部材（第２揺動部材）の構成を示す平面図、図１８（ｂ）は、その側面図、図１９から図２５は、カードの搬送に伴う第２揺動部材、及びストック部の作用を順に示す図である。
【００６６】
上記したように、ストック部２Ｂは、本体フレーム２Ａに対して、搬送方向奥側に設置される基部に対して回動可能に配設されており、通常は、図１に示すように閉じられた状態にある。
【００６７】
ストック部２Ｂは、カードＰＣが、所定枚数（本実施形態では１０枚程度）収納できるように箱型に形成された本体３０を備えている。本体３０の挿入口側の壁部（前壁）３０ａは、挿入口側からみて図１６及び図１７に示すように、略凸形状に形成されており、本体３０がフレーム本体２Ａに対して閉じられると、搬送路３の表面３ｃとの間に、カード１枚が通過できるギャップＧが形成されるようになっている。前壁３０ａに形成される突部３０ｂは、ストック部２Ｂ（本体３０）からカードを発行する際、搬送路３の面側のカード（最上のカード）のみを排出でき、２枚目以降のカードを当て付けて発行できないようにしている。
【００６８】
なお、本体３０内に積層収納されるカードは、最上のカードが、上記した搬送機構の搬送ベルト２５に面接触した状態となっている。
【００６９】
前記本体３０の内部には、本体３０の開口３０ｂと略同一のディメンションの押圧プレート３５（図１９から図２５において模式的に示す）が配設されており、この押圧プレート３５は、本体３０の両側壁３０ｃに設置された付勢バネ３１によって、常時、搬送路側に付勢された状態となっている。この場合、押圧プレート３５を押圧する付勢バネ３１の押圧プレートに対する取付位置Ｐ１は、本体３０の両側壁３０ｃの長手方向（カード搬送方向）の中央位置に設定されている。このように、押圧プレート３５を押圧する付勢バネ３１を、両側壁３０ｃの中央位置に設置したことにより、安定して押圧プレート３５を押圧することができ、かつ本体３０の内部に押圧スプリングを設置する構成と比較して、カードの収納枚数を増やすことが可能となる。
【００７０】
また、本体３０の両側壁３０ｃには、カードＰＣを落下しないように保持する爪３２が長手方向に所定の間隔をおいて２個づつ設けられている。爪３２は、両壁部３０ｃの表面側に取着される矩形の金具３２ａの先端側をＬ字状に折り曲げることで形成されている。
【００７１】
上記した本体フレーム２Ａには、挿入口から挿入されたカードが使用済みとなった際、搬送ベルト２５によるカードの搬送動作と協働して、そのカードをストック部の本体３０内に収納させる収納駆動機構４０が設置されている。この収納駆動機構は、電気的な部品を設置することなく、カード収納時に押圧プレート３５を押し上げ操作する機能を有している。以下、収納駆動機構４０の構成について説明する。
【００７２】
収納駆動機構４０は、本体フレーム２Ａに対して、支軸４１を介して揺動可能に支持される揺動部材４２を有している（以下、上述したシャッタ機構の揺動部材１２と区別するため、第２揺動部材４２と称する）。本実施形態の第２揺動部材４２は、図３に示すように、カード搬送方向に延出しており、上記した揺動部材１２よりも搬送路３の内側（中心線側）で、搬送路３の裏面側に揺動可能に支持されている。第２揺動部材４２は一体形成されており、前記支軸４１は、中央よりやや後方側に設けられている。
【００７３】
第２揺動部材４２は、図５に示すように、本体フレーム２Ａの搬送路３の裏面側に突出された支持部に対して支軸４１が設置され、かつその上からカバー４３が設置されることで、本体フレーム２Ａに対して揺動可能に支持される。すなわち、第２揺動部材４２ついても揺動部材１２と同様、簡単な操作によって、本体フレーム２Ａに対して着脱可能となっている。
【００７４】
この第２揺動部材４２には、挿入口４側において前記搬送路３の表面から突没可能となる第１突没部４２ａが、ストック部２Ｂ側において前記搬送路３の表面から突没可能となる第２突没部４２ｂが夫々一体形成されている。前記第１突没部４２ａは、図３に示すように、本体フレーム２Ａの挿入口４の近傍、具体的には、挿入口４と搬送機構２０との間に形成された開口２ｇから突没可能となっており、前記第２突没部４２ｂは、前記ストック部２Ｂの中心位置に形成された開口２ｈから突没可能となっている。
【００７５】
この場合、第２揺動部材４２及び開口２ｈは、第２突没部４２ｂが、本体３０に収納されているカードＰＣのセンター位置Ｐ２よりもやや上流側位置に当接できるように構成されている（図１７において、当接位置を仮想斜線で示してある）。このため、第２突没部４２ｂは、図１８に示すように、第１突没部４２ａと比較して、幅方向に広がった形状となっている。なお、図１８に示すように、第２揺動部材４２は、設置スペースや搬送ベルトの配設位置の関係上、中央領域で屈曲形成されているが、第２突没部４２ｂが、前記本体３０に収納されているカードＰＣのセンター位置Ｐ２よりもやや上流側位置に当接できれば、その形状については適宜変形可能である。
【００７６】
前記第１突没部４２ａには、カード搬送方向に向けて次第に上昇する傾斜面が形成されており、カードの移動がスムーズになるよう構成されている。本実施形態では、カードＰＣが挿入口４から内部に挿入され、かつ内部から挿入口４を介して排出（発行）される構成のため、第１突没部４２ａの両面側に、次第に搬送方向に向けて上昇する傾斜面４２ｃ，４２ｃ´が形成されている。なお、第１突没部４２ａは、後述するように、挿入口４から排出するカードを落下させることなく、落下防止機構としての機能を備えている。この第１突没部４２ａ（保持部）によるカードの保持態様については後述する。
【００７７】
また、前記第２突没部４２ｂにも、挿入口４側から搬入されるカードがスムーズに移動できるように、カード搬送方向に向けて次第に上昇する傾斜面４２ｄが形成されている。傾斜面４２ｄは、挿入口側の面に形成されており、傾斜面の頂部４２ｅは、第２揺動部材４２の揺動動作に伴って、本体３０の押圧プレート３５（押圧プレートにカードＰＣが積層収納されている場合、最上のカード）に当て付き、図２０に示すように、押圧プレート３５を、挿入口側が上昇して隙間ができるように傾かせる。
【００７８】
なお、第２揺動部材４２は、通常、第１突没部４２ａが搬送路３の表面から突出しており、かつ第２突没部４２ｂが、押圧プレート（又はそれに積層されるカード）に当て付いた状態で支持されている。
【００７９】
また、本体フレーム２Ａには、前記本体３０の押圧プレート３５の状態を検知して、本体３０内に、カードが収納されているか否かを検知する第４センサ（図示せず）が設置されている。
【００８０】
次に、カードの搬送に伴って、上記した第２揺動部材４２及びストック部２Ｂの作用について、図１９から図２５を参照して説明する。
【００８１】
最初、初期状態では、収納駆動機構４０の第２揺動部材４２は、支軸４１を中心として夫々の突没部４２ａ，４２ｂは、搬送路３から突出した状態となっている。第２突没部４２ｂは、ストック部２Ｂの最上のカードに当接した状態となっている。
【００８２】
この状態で、挿入口４からカードＰＣを挿入すると、図４に示した搬送路３に設置されるカード検知センサ（第１センサ）１５Ａがこれを検知し、搬送機構を構成する駆動モータが回転駆動され、図２０に示すように、カードＰＣは搬送ベルト２５によって内部に搬送される。このとき、カードＰＣは、傾斜面４２ｃを介して第１突没部４２ａを押下げることから、第２揺動部材４２は支点４１を中心として反時計周り方向に回動され、積層収納された最上のカードに当接する第２突没部４２ｂは、押圧プレート３５を、付勢バネ３１の付勢力に抗して押し上げる。図１７に示したように、第２突没部４２ｂは、カードＰＣのセンター位置Ｐ２よりもやや上流側位置に当接しているため、押圧プレート３５は、図２０に示すように、上流側が上昇するように傾く。このため、搬送ベルト２５によって搬送されるカードＰＣは、図１６に示したギャップＧを介して、ストック部２Ｂの本体３０内にスムーズに入り込んで行く。
【００８３】
そして、前記第１センサ１５Ａによって、搬入されるカードＰＣの後端の通過が検知された段階で、搬送ベルト２５は駆動停止され、カードＰＣは一旦停止される（図４、図２１参照）。上述したように、この位置（情報処理位置）において、図示されていないリーダライタが駆動され、カードＰＣに対して情報の読取り／書換えが実行される。このとき、カードＰＣの先端は、第２突没部４２ｂの直前に位置している。
【００８４】
カードＰＣに対する情報の読取り／書換え処理の後、カードＰＣは、クレジットが残っていない場合、そのままストック部２Ｂに収納され、クレジットが残っている場合、ユーザに返却される。
【００８５】
具体的には、図２１に示す状態で、リーダライタによってクレジットが残っていないと判別されると、搬送ベルト２５は、引き続きカードＰＣをストック部２Ｂの本体３０に搬送すべく回転駆動される。その後、搬送ベルト２５は、図２２に示す位置に搬送された段階で駆動停止され、カードＰＣは、本体３０内において、押圧プレート３５上に積層収納される。一方、クレジットが残っている場合、前記搬送ベルト２５は逆転駆動され、カードＰＣをユーザに返却する。この際、挿入口４から排出されるカードＰＣは、上述したように、保持部としての機能を備えた第１突没部４２ａによって、挿入口４から突出した状態で保持される。なお、カードＰＣが、挿入口４から突出した状態で保持されるのは、以下のストック部２Ｂからカードを発行する処理と同一である。
【００８６】
ここで、図２３から図２５を参照して、カードを発行する処理について説明する。  
例えば、図示されていない紙幣処理装置に紙幣が投入され、その金額情報を記載したカードＰＣを発行する場合、図２３に示すように、ストック部２Ｂに積層収納されているカードの最上のカードＰＣ１（搬送ベルト２５に接触しているカード）を発行する。すなわち、最上のカードＰＣ１は、押圧プレート３５に作用する付勢力によって搬送ベルト２５に押し付けられた状態にあり、この状態で搬送ベルト２５が回転駆動されることで、カードＰＣ１は、挿入口４側に向けて搬送される。
【００８７】
この搬送過程において、カードＰＣ１は、図２４で示す情報処理位置で一旦停止され、この位置でリーダライタが駆動されることで、所定の情報が書き込まれる。そして、この書き込み処理が終了すると、再び搬送ベルト２５が回転駆動され、カードＰＣ１を挿入口４から排出する。この際、搬送ベルト２５は、排出されるカードが所定の位置、具体的には、図２５に示すように、第２揺動部材４２の第１突没部４２ａがカードＰＣ１の端部領域に当接した状態で駆動停止される。この搬送ベルト２５の停止は、例えば、図４に示した第２センサ１５ＢがカードＰＣ１の後端を検知したこと、或いは、図６に示した第３センサ１５Ｃが揺動部材１２の回動を検知してから所定の時間を経過したこと等によって制御することが可能である。
【００８８】
以上のように構成される第２揺動部材４２によれば、挿入口４にカードを挿入すると、第１突没部４２ａを押圧し、これによって第２突没部４２ｂが上昇して、その上方に位置しているストック部２Ｂに収納されているカードを押し上げて、搬入されるカードを新たに本体３０内に積層収納することが可能になる。このように、カードの搬送動作に伴って第２揺動部材４２を揺動させるだけでカードをストック部２Ｂに積層収納することが可能になるため、従来のようにモータやカムなどの駆動部品や電装部品を設けることなく収納駆動機構の構造が簡略化される。従って、駆動部品の故障などによって、カードのストック部への収納動作が不安定になることも抑制される。
【００８９】
また、上述したように、カードＰＣ１の駆動が停止した状態で、上記した第２揺動部材４２の第１突没部４２ａは、上述したように、カードを停止して挿入口４からカードを落下させないように保持する落下防止機構としての機能を備えている。
【００９０】
すなわち、図２５に示すように、第２揺動部材４２の第２突没部４２ｂには、押圧プレート３５によって、矢印で示すように下方に作用する押圧力が作用した状態にある。第２揺動部材４２は、支軸４１を中心に揺動可能に支持されていることから、第１突没部４２ａには、上方側に向かう押圧力（図２６に示すように、停止状態にあるカードＰＣ１を裏側から押し上げる押圧力Ｆ１）が作用した状態になる。このとき、カードＰＣ１は、図２７に示すように、その先端側が挿入口４から排出された状態にあり、かつ表側がカード挿入部３Ｂに当て付けられるため、カードＰＣ１の中心Ｃが挿入口４の開口端Ｅから排出された状態にあっても、落下することなく、安定した状態で保持することが可能となる。そして、この状態では、カードＰＣ１は長さ方向の半分以上が突出しているため、ユーザはカードＰＣ１を掴み易くなる。
【００９１】
また、上記したように、挿入口４と搬送機構を構成する搬送ベルト２５との間に第１突没部４２ａ（保持部）を設置したことで、装置本体内部に、排出されるカードＰＣ１を保持するためのスペースを考慮する必要がなくなり、装置本体を小型化することが可能となる。特に、本実施形態では、そのような保持部を、上述した収納駆動機構４０を構成する第２揺動部材４２に設けて兼用化しているため、部品点数を少なくして構造を簡略化することができ、コストを低減することが可能になる。
【００９２】
さらに、上記した第１突没部４２ａは、カード搬送方向に向けて次第に上昇する傾斜面４２ｃ´を有しているため、突没部４２ａを通過するカードの移動をスムーズにすることができ、カードの排出動作が行い易くなる。
【００９３】
なお、上述したカードを保持する保持部（第１突没部４２ａ）については、挿入口４と搬送機構１０との間に設置され、排出されるカードを押圧し、これを挿入口４の開口部の内側領域に当て付けてカードを保持できるように構成されたものであれば良い。このため、例えば、上記したストック部２Ｂの収納駆動機構４０としての機能を兼ね備えることなく、第１突没部４２ａの位置に、図２８に示すような付勢バネ５０によって搬送路３に突没する突没部材４２Ａによって構成しても良い。
【００９４】
あるいは、上述した第２揺動部材４２の第１突没部４２ａ（保持部）は、図２９から図３１に示すように構成しても良い。これらの図において、図２９（ａ）は、第２揺動部材の構成を示す平面図、図２９（ｂ）は、その側面図、図３０（ａ）は、図２９（ａ）のＡ−Ａ線に沿った断面図、図３０（ｂ）は、図２９（ａ）のＢ−Ｂ線に沿った断面図、そして、図３１は、第２揺動部材の正面図であり、ローラを組み込む状態を示す図である。
【００９５】
上述した実施形態では、第１突没部４２ａの両面側に次第に搬送方向に向けて上昇する傾斜面４２ｃ，４２ｃ´を形成し、この傾斜面によってカードの搬送がスムーズに行えるよう構成したが、このような傾斜面に代えて回転ローラを支持する構成であっても良い。具体的には、第２揺動部材４２の先端に形成される第１突没部４２ａに凹所５１を形成し、この部分にローラ５２を回転可能に支持する。ローラ５２は、摺接するカードを損傷することのない材料、例えばＰＯＭ等によって一体形成されており、その両端に突出する軸部５２ａを、凹所５１内に形成された支持部５１ａに配設することでローラ５２は、第１突没部４２ａに回転可能に支持される。
【００９６】
このように、第１突没部４２ａに回転可能なローラ５２を設置したことで、カードの搬送がよりスムーズになると共に、カードに対する接触抵抗が軽減され、カードに対する傷付きを効果的に防止することが可能になる。また、このようなローラ５２によっても、カード挿入部３Ｂとの間でカードを保持することが可能となる。
【００９７】
また、前記ローラ５２の略中央部には、段部５２ｂが形成されており、これにより、ローラ外周は小径部５２ｃと大径部５２ｄを備えた構成となっている。この場合、ローラ５２は、小径部５２ｃ側が搬送路の幅方向外側に位置するように凹所５１内に支持される。ローラ５２に、このような段部５２ｂを形成しておくことにより、カードが搬送される際、小径部５２ｃの領域で部分的にカード表面が接触しないようにすることが可能となる（図３０（ａ）参照）。すなわち、カードの表面には、予め定められた位置に氏名を記入する欄を設けることがあり、段差がないローラでは、名前部分が擦れて消えてしまうことも有り得るが、このように段差を形成して小径部を設けておくことで、擦れによって氏名が消えないように保護することが可能になる。
【００９８】
以上、本発明の実施形態について説明したが、本発明は、上記した実施形態に限定されることはなく、種々変形することが可能である。例えば、カードを搬送するに際して搬送動作を制御する制御手段（搬送機構の駆動タイミングを制御するセンサの構成や配置態様等）については、適宜変形することが可能である。また、ストック部における本体の構成、各揺動部材の形状、搬送機構を構成するローラの配置態様等についても適宜変形することが可能である。
【産業上の利用可能性】
【００９９】
本発明のカード処理装置は、遊技媒体貸出装置に限られず、カードが挿入されたことで、商品やサービスを提供する各種の装置に組み込むことが可能である。また、本発明のカード処理装置は、カードを回収したり、発行可能にするストック部を備えた構成となっていたが、単にカードを挿入し、その情報を読取って排出するカード処理装置、或いは、プリペイドカードを発行する装置に適用可能である。
【図面の簡単な説明】
【０１００】
【図１】カード処理装置の構成を示す図であり、全体構成を示す平面図。
【図２】ストック部を開放した状態を示す図。
【図３】図２に示す状態から基板装着フレームを取り外した状態を示す図であり、カード搬送路の構成を示す図。
【図４】図３に示すカード挿入口部分の拡大図。
【図５】カード処理装置を裏側から見た図。
【図６】図５の主要部の拡大図。
【図７】シャッタ機構を構成する揺動部材（第１揺動部材）の構成を示す斜視図。
【図８】カードが挿入口から移動する際の揺動部材の動作を示す図（その１）。
【図９】カードが挿入口から移動する際の揺動部材の動作を示す図（その２）。
【図１０】カードが挿入口から移動する際の揺動部材の動作を示す図（その３）。
【図１１】カードが挿入口から移動する際の揺動部材の動作を示す図（その４）。
【図１２】（ａ）は、ローラの構成を示す図、（ｂ）は、ローラの変形例を示す図。
【図１３】搬送機構を構成するローラを支持する固定部材の拡大斜視図。
【図１４】図１４は、一対の固定部材にローラを保持した状態を示す図。
【図１５】（ａ），（ｂ）は、夫々中心軸保持部の位置を変形した固定部材を示す図。
【図１６】ストック部を挿入口側から見た図。
【図１７】ストック部にカードを収納した状態を示す図。
【図１８】（ａ）は、収納駆動機構を構成する揺動部材（第２揺動部材）の構成を示す平面図、（ｂ）は、その側面図。
【図１９】挿入口からカードを搬送する際の第２揺動部材、及びストック部の作用を示す図（その１）。
【図２０】挿入口からカードを搬送する際の第２揺動部材、及びストック部の作用を示す図（その２）。
【図２１】挿入口からカードを搬送する際の第２揺動部材、及びストック部の作用を示す図（その３）。
【図２２】挿入口からカードを搬送する際の第２揺動部材、及びストック部の作用を示す図（その４）。
【図２３】ストック部から挿入口に向けてカードを搬送する際の第２揺動部材、及びストック部の作用を示す図（その１）。
【図２４】ストック部から挿入口に向けてカードを搬送する際の第２揺動部材、及びストック部の作用を示す図（その２）。
【図２５】ストック部から挿入口に向けてカードを搬送する際の第２揺動部材、及びストック部の作用を示す図（その３）。
【図２６】第２揺動部材によってカードを挿入口に保持した状態を示す図。
【図２７】第２揺動部材によってカードを挿入口に保持した状態を示す斜視図。
【図２８】カードを挿入口に保持する突没部の別の実施例を示す図。
【図２９】（ａ）は、第２揺動部材の変形例を示す平面図、（ｂ）は、その側面図。
【図３０】（ａ）は、図２９（ａ）のＡ−Ａ線に沿った断面図、（ｂ）は、図２９（ａ）のＢ−Ｂ線に沿った断面図。
【図３１】第２揺動部材の正面図であり、ローラを組み込む状態を示す図。
【符号の説明】
【０１０１】
１  カード処理装置
２  フレーム
２ｆ  当接部
２Ａ  本体フレーム
２Ｂ  ストック部
３  搬送路
４  挿入口
１０  シャッタ機構
１２  揺動部材（第１揺動部材）
１２ｃ  閉塞部
１２ｄ  突没部
１２ｅ  切欠凹所
２０  搬送機構
２３  ローラ
２４  固定部材
２４Ａ  本体
２４Ｂ  変形部
２５  搬送ベルト
３０  本体
３５  押圧プレート
４０  収納駆動機構
４２  揺動部材（第２揺動部材）
４２ａ  第１突没部
４２ｂ  第２突没部
５２  ローラ
ＰＣ  カード
【図１】
2008191826.tif 000003
【図２】
2008191826.tif 000004
【図３】
2008191826.tif 000005
【図４】
2008191826.tif 000006
【図５】
2008191826.tif 000007
【図６】
2008191826.tif 000008
【図７】
2008191826.tif 000009
【図８】
2008191826.tif 000010
【図９】
2008191826.tif 000011
【図１０】
2008191826.tif 000012
【図１１】
2008191826.tif 000013
【図１２】
2008191826.tif 000014
【図１３】
2008191826.tif 000015
【図１４】
2008191826.tif 000016
【図１５】
2008191826.tif 000017
【図１６】
2008191826.tif 000018
【図１７】
2008191826.tif 000019
【図１８】
2008191826.tif 000020
【図１９】
2008191826.tif 000021
【図２０】
2008191826.tif 000022
【図２１】
2008191826.tif 000023
【図２２】
2008191826.tif 000024
【図２３】
2008191826.tif 000025
【図２４】
2008191826.tif 000026
【図２５】
2008191826.tif 000027
【図２６】
2008191826.tif 000028
【図２７】
2008191826.tif 000029
【図２８】
2008191826.tif 000030
【図２９】
2008191826.tif 000031
【図３０】
2008191826.tif 000032
【図３１】
2008191826.tif 000033